(57)【要約】【課題】比較的短い時間に視聴された過去（例えば、数分前）のイベントを、簡便な操作で確認できるとともに再視聴できるディジタル放送受信装置を提供することを目的とする。【解決手段】ディジタル放送受信装置において、複数イベントにまたがって放送されるイベントをお好みイベントとして登録する場合に、当該イベントをシリーズイベントとして登録し、このシリーズイベントが次回放送される時に自動的にお好みイベントとして登録可能とし、登録されたシリーズイベントを含むお好みイベント案内が提示された状態におけるイベント選択操作に基づいて、当該イベントを提供するチャンネルのディジタル放送信号を受信するようにした。【選択図】図４
2008271395.tif 000002
【特許請求の範囲】
【請求項１】
所定のチャンネルの選局を指示する操作手段と、
前記操作手段による選局操作に基づいて、前記所定のチャンネルのディジタル放送信号を受信し、該チャンネルで提供されているイベントを視聴可能とする受信手段と、を備えたディジタル放送受信装置において、
視聴されたイベントを選択的にお好みイベントとして登録可能なお好みイベント登録手段と、
前記登録されたお好みイベントを選択的に削除可能なお好みイベント削除手段と、
前記受信手段により受信されたディジタル放送信号に含まれるＳＩ情報に基づいて、前記お好みイベント登録手段により登録指定されたお好みイベントに関するイベント情報を記憶するイベント情報記憶手段と、
前記登録されたお好みイベントに関する情報が認識可能な形態でお好みイベント案内を提示するお好みイベント案内手段と、を備え、
前記お好みイベント案内手段は、前記イベント情報記憶手段に記憶されているイベント情報に基づいて前記お好みイベントの放送状態を監視し、前記イベント情報及び前記放送状態に基づいて前記お好みイベント案内を提示し、
前記お好みイベント削除手段は、前記お好みイベントの放送が終了した場合に、該お好みイベントを削除し、
前記お好みイベント登録手段は、複数イベントにまたがって放送されるイベントをお好みイベントとして登録する場合に、当該イベントをシリーズイベントとして登録し、このシリーズイベントが次回放送される時に自動的にお好みイベントとして登録可能であり、
前記受信手段は、前記お好みイベント案内が提示された状態における、前記操作手段によるイベント選択操作に基づいて、当該イベントを提供するチャンネルのディジタル放送信号を受信することを特徴とするディジタル放送受信装置。
【請求項２】
前記イベント情報記憶手段は、前記お好みイベントのイベント情報を記憶するお好みイベント情報記憶領域と、前記シリーズイベントのイベント情報を記憶するシリーズイベント情報記憶領域と、を有し、前記お好みイベント登録手段により前記シリーズイベントがお好みイベントに登録された場合は、前記お好みイベント情報記憶領域及び前記シリーズイベント情報記憶領域に当該シリーズイベントのイベント情報を記憶し、
前記お好みイベント登録手段は、前記シリーズイベント情報記憶領域に記憶されているイベント情報に基づいて、当該シリーズイベントが次回放送される時に自動的にお好みイベントとして登録し、
前記お好みイベント案内手段は、前記お好みイベント情報記憶領域に記憶されているイベント情報に基づいて前記お好みイベント案内を提示することを特徴とする請求項１に記載のディジタル放送受信装置。
【請求項３】
前記お好みイベント情報記憶領域は、所定数のお好みイベントに関するイベント情報を記憶可能に構成され、前記お好みイベント登録手段により前記シリーズイベントがお好みイベントとして登録されるときに、すでに登録されたお好みイベントが前記所定数に達していた場合、前記お好みイベント削除手段により削除指定されたお好みイベントのイベント情報を削除し、前記シリーズイベントのイベント情報を前記削除領域に記憶することを特徴とする請求項２に記載のディジタル放送受信装置。
【請求項４】
前記お好みイベント削除手段は、シリーズイベントとして登録されているシリーズイベントが前記お好みイベント登録手段によりお好みイベントとして登録されなかった場合に、当該シリーズイベントを削除することを特徴とする請求項１から３のいずれか一項に記載のディジタル放送受信装置。
【請求項５】
前記シリーズイベントのイベント情報には、シリーズイベントの総話数を示す情報が含まれ、
前記お好みイベント削除手段は、前記シリーズイベントの総話数を示す情報に基づいて、当該シリーズイベントが最終回であるか否かを判定し、最終回の放送が終了した場合に、当該シリーズイベントを削除することを特徴とする請求項１から４のいずれか一項に記載のディジタル放送受信装置。
【請求項６】
所定のチャンネルの選局を指示する操作手段と、
前記操作手段による選局操作に基づいて、前記所定のチャンネルのディジタル放送信号を受信し、該チャンネルで提供されているイベントを視聴可能とする受信手段と、を備えたディジタル放送受信装置において、
視聴されたイベントを選択的にお好みイベントとして登録可能なお好みイベント登録手段と、
前記登録されたお好みイベントを選択的に削除可能なお好みイベント削除手段と、
前記受信手段により受信されたディジタル放送信号に含まれるＳＩ情報に基づいて、前記お好みイベント登録手段により登録指定されたお好みイベントに関するイベント情報を記憶するイベント情報記憶手段と、
前記登録されたお好みイベントに関する情報が認識可能な形態でお好みイベント案内を提示するお好みイベント案内手段と、を備え、
前記お好みイベント登録手段は、複数イベントにまたがって放送されるイベントをお好みイベントとして登録する場合に、当該イベントをシリーズイベントとして登録し、このシリーズイベントが次回放送される時に自動的にお好みイベントとして登録可能であり、
前記お好みイベント削除手段は、前記お好みイベントの放送が終了した場合に、該お好みイベントを削除し、シリーズイベントとして登録されているシリーズイベントが前記お好みイベント登録手段によりお好みイベントとして登録されなかった場合に、当該シリーズイベントを削除し、さらに、前記シリーズイベントのイベント情報に含まれるシリーズイベントの総話数を示す情報に基づいて、当該シリーズイベントが最終回であるか否かを判定し、最終回の放送が終了した場合に、当該シリーズイベントを削除し、
前記イベント情報記憶手段は、所定数のお好みイベントに関するイベント情報を記憶するお好みイベント情報記憶領域と、前記シリーズイベントのイベント情報を記憶するシリーズイベント情報記憶領域と、を有し、前記お好みイベント登録手段により前記シリーズイベントがお好みイベントに登録された場合は、前記お好みイベント情報記憶領域及び前記シリーズイベント情報記憶領域に当該シリーズイベントのイベント情報を記憶し、前記お好みイベント登録手段により前記シリーズイベントがお好みイベントとして登録されるときに、すでに登録されたお好みイベントが前記所定数に達していた場合、前記お好みイベント削除手段により削除指定されたお好みイベントのイベント情報を削除し、前記シリーズイベントのイベント情報を前記削除領域に記憶し、
前記お好みイベント案内手段は、前記お好みイベント情報記憶領域に記憶されているイベント情報に基づいて前記お好みイベントの放送状態を監視し、前記イベント情報及び前記放送状態に基づいて前記お好みイベント案内を提示し、
前記受信手段は、前記お好みイベント案内が提示された状態における、前記操作手段によるイベント選択操作に基づいて、当該イベントを提供するチャンネルのディジタル放送信号を受信することを特徴とするディジタル放送受信装置。
【発明の詳細な説明】
【技術分野】
【０００１】
本発明は、地上／ＢＳ／ＣＳディジタル放送等を受信可能なディジタル放送受信装置に関し、特に、イベント視聴時の利便性を改善する技術に関する。
【背景技術】
【０００２】
近年、ディジタル技術の発達によりテレビジョン放送の分野でもディジタル化が急速に進み、例えば、地上／ＢＳ／ＣＳディジタル放送が実用化されている。このディジタル放送では、アナログ放送よりも簡単かつ効率的にデータを圧縮できることから、多チャンネル化（例えば、ＣＳディジタル放送では２００チャンネル以上）、高品質化（ハイビジョン放送）、高機能化（データ放送（双方向通信サービス））の実現が期待される。
【０００３】
上述したディジタル放送を受信可能なディジタル放送受信装置では、利用者は、多数のチャンネルの中から所望するチャンネルを選択することとなる。一般には、例えば、リモコン装置に設けられたワンタッチボタン（１〜１２）による一発選局、チャンネル送りボタンによるアップダウン選局、数字ボタン（０〜９）を使って３桁チャンネル番号を直接入力するダイレクト選局により、チャンネルの選局が行われる。
【０００４】
このように、ディジタル放送化に伴い提供されるチャンネルは著しく増加するが、利用者の立場にしてみれば、所望のチャンネルの検索やチャンネルの選局操作が複雑になることは好ましくない。
そこで、ディジタル放送受信装置におけるチャンネル選局操作の利便性を改善するための種々の技術が提案されている（例えば、特許文献１〜３）。
【０００５】
具体的には、特許文献１には、ジャンル分けに必要な番組情報をテーブルで具備し、選択されたジャンルと同一のジャンルに属する番組情報を放送中の複数のトランスポートストリームから取得すると同時に、番組情報のシリーズ情報を取得して選択ジャンルとリンクして記憶装置に記憶し、かつシリーズ情報と番組情報とをリンクして記憶装置に記録するディジタル放送受信機が開示されている。
【０００６】
また、特許文献２には、チャンネル順選択においても容易・迅速かつ確実にユーザが希望するチャンネルを選択することができる技術が開示されている。具体的には、過去に視聴した放送チャンネルの視聴時間に基づいて放送チャンネル選択リストを自動的に生成し、リモコン装置の操作キーを対応付けてチャンネル選択制御を行うようにしている。
【０００７】
また、特許文献３には、時間軸とチャンネル軸のマトリクス状の電子番組表を解析・編集して、視聴予約番組とともに時間軸に対する一次元の番組表に編集し表示することにより、利用者が簡易にかつ短時間で視聴番組を選べる番組情報処理装置が開示されている。
【特許文献１】特開２００３−２９８９６３号公報
【特許文献２】特開２００３−２０９７５５号公報
【特許文献３】特開２０００−３３３０８５号公報
【発明の開示】
【発明が解決しようとする課題】
【０００８】
ところで、ディジタル放送受信装置において、電源をオンされた後に長時間同一のチャンネルが視聴されることは稀で、電源をオフされるまでには少なからずチャンネルは切り替えられるものと考えられる。例えば、同一時間帯に利用者が視聴したいイベント（番組）が複数のチャンネルで提供されている場合等は、過去（数分前）に視聴したイベントの経過が気になり、比較的頻繁にチャンネル選局操作が行われる。
【０００９】
しかしながら、従来のディジタル放送受信装置では、このように過去に視聴したイベントをちょっと確認したいという場合であっても、通常のチャンネル選局操作を行う必要があり、不便である。例えば、過去に視聴したイベントを再選局する際、３桁のチャンネル番号入力でしか選局できない場合や、ワンタッチ選局であっても数字ボタンに割り付けたチャンネルを忘れるような場合も考えられ、再選局が困難になりかねない。
【００１０】
上記先願技術によれば、通常時のチャンネル選局操作の利便性は改善できるが、上述したような問題に対応することはできない。つまり、上記先願技術は、日単位という比較的長時間の視聴履歴をもとに、視聴頻度の高いチャンネルを容易に選局するためのものであり、例えば、電源がオンされてからオフされるまでという、比較的短い時間に視聴した複数のイベントのうち、所望のイベントの再視聴を容易にする技術ではない。
【００１１】
本発明は、比較的短い時間に視聴された過去（例えば、数分前）のイベントを、簡便な操作で確認できるとともに再視聴できるディジタル放送受信装置を提供することを目的とする。
【課題を解決するための手段】
【００１２】
請求項１に記載の発明は、上記目的を達成するため、所定のチャンネルの選局を指示する操作手段と、前記操作手段による選局操作に基づいて、前記所定のチャンネルのディジタル放送信号を受信し、該チャンネルで提供されているイベントを視聴可能とする受信手段と、を備えたディジタル放送受信装置において、視聴されたイベントを選択的にお好みイベントとして登録可能なお好みイベント登録手段と、前記登録されたお好みイベントを選択的に削除可能なお好みイベント削除手段と、前記受信手段により受信されたディジタル放送信号に含まれるＳＩ情報に基づいて、前記お好みイベント登録手段により登録指定されたお好みイベントに関するイベント情報を記憶するイベント情報記憶手段と、前記登録されたお好みイベントに関する情報が認識可能な形態でお好みイベント案内を提示するお好みイベント案内手段と、を備え、前記お好みイベント案内手段は、前記イベント情報記憶手段に記憶されているイベント情報に基づいて前記お好みイベントの放送状態を監視し、前記イベント情報及び前記放送状態に基づいて前記お好みイベント案内を提示し、前記お好みイベント削除手段は、前記お好みイベントの放送が終了した場合に、該お好みイベントを削除し、前記お好みイベント登録手段は、複数イベントにまたがって放送されるイベントをお好みイベントとして登録する場合に、当該イベントをシリーズイベントとして登録し、このシリーズイベントが次回放送される時に自動的にお好みイベントとして登録可能であり、前記受信手段は、前記お好みイベント案内が提示された状態における、前記操作手段によるイベント選択操作に基づいて、当該イベントを提供するチャンネルのディジタル放送信号を受信することを特徴とする。
【００１３】
請求項２に記載の発明は、請求項１に記載のディジタル放送受信装置において、前記イベント情報記憶手段は、前記お好みイベントのイベント情報を記憶するお好みイベント情報記憶領域と、前記シリーズイベントのイベント情報を記憶するシリーズイベント情報記憶領域と、を有し、前記お好みイベント登録手段により前記シリーズイベントがお好みイベントに登録された場合は、前記お好みイベント情報記憶領域及び前記シリーズイベント情報記憶領域に当該シリーズイベントのイベント情報を記憶し、前記お好みイベント登録手段は、前記シリーズイベント情報記憶領域に記憶されているイベント情報に基づいて、当該シリーズイベントが次回放送される時に自動的にお好みイベントとして登録し、前記お好みイベント案内手段は、前記お好みイベント情報記憶領域に記憶されているイベント情報に基づいて前記お好みイベント案内を提示することを特徴とする。
【００１４】
請求項３に記載の発明は、請求項２に記載のディジタル放送受信装置において、前記お好みイベント情報記憶領域は、所定数のお好みイベントに関するイベント情報を記憶可能に構成され、前記お好みイベント登録手段により前記シリーズイベントがお好みイベントとして登録されるときに、すでに登録されたお好みイベントが前記所定数に達していた場合、前記お好みイベント削除手段により削除指定されたお好みイベントのイベント情報を削除し、前記シリーズイベントのイベント情報を前記削除領域に記憶することを特徴とする。
【００１５】
請求項４に記載の発明は、請求項１から３のいずれか一項に記載のディジタル放送受信装置において、前記お好みイベント削除手段は、シリーズイベントとして登録されているシリーズイベントが前記お好みイベント登録手段によりお好みイベントとして登録されなかった場合に、当該シリーズイベントを削除することを特徴とする。
【００１６】
請求項５に記載の発明は、請求項１から４のいずれか一項に記載のディジタル放送受信装置において、前記シリーズイベントのイベント情報には、シリーズイベントの総話数を示す情報が含まれ、前記お好みイベント削除手段は、前記シリーズイベントの総話数を示す情報に基づいて、当該シリーズイベントが最終回であるか否かを判定し、最終回の放送が終了した場合に、当該シリーズイベントを削除することを特徴とする。
【００１７】
請求項６に記載の発明は、所定のチャンネルの選局を指示する操作手段と、前記操作手段による選局操作に基づいて、前記所定のチャンネルのディジタル放送信号を受信し、該チャンネルで提供されているイベントを視聴可能とする受信手段と、を備えたディジタル放送受信装置において、視聴されたイベントを選択的にお好みイベントとして登録可能なお好みイベント登録手段と、前記登録されたお好みイベントを選択的に削除可能なお好みイベント削除手段と、前記受信手段により受信されたディジタル放送信号に含まれるＳＩ情報に基づいて、前記お好みイベント登録手段により登録指定されたお好みイベントに関するイベント情報を記憶するイベント情報記憶手段と、前記登録されたお好みイベントに関する情報が認識可能な形態でお好みイベント案内を提示するお好みイベント案内手段と、を備え、前記お好みイベント登録手段は、複数イベントにまたがって放送されるイベントをお好みイベントとして登録する場合に、当該イベントをシリーズイベントとして登録し、このシリーズイベントが次回放送される時に自動的にお好みイベントとして登録可能であり、前記お好みイベント削除手段は、前記お好みイベントの放送が終了した場合に、該お好みイベントを削除し、シリーズイベントとして登録されているシリーズイベントが前記お好みイベント登録手段によりお好みイベントとして登録されなかった場合に、当該シリーズイベントを削除し、さらに、前記シリーズイベントのイベント情報に含まれるシリーズイベントの総話数を示す情報に基づいて、当該シリーズイベントが最終回であるか否かを判定し、最終回の放送が終了した場合に、当該シリーズイベントを削除し、前記イベント情報記憶手段は、所定数のお好みイベントに関するイベント情報を記憶するお好みイベント情報記憶領域と、前記シリーズイベントのイベント情報を記憶するシリーズイベント情報記憶領域と、を有し、前記お好みイベント登録手段により前記シリーズイベントがお好みイベントに登録された場合は、前記お好みイベント情報記憶領域及び前記シリーズイベント情報記憶領域に当該シリーズイベントのイベント情報を記憶し、前記お好みイベント登録手段により前記シリーズイベントがお好みイベントとして登録されるときに、すでに登録されたお好みイベントが前記所定数に達していた場合、前記お好みイベント削除手段により削除指定されたお好みイベントのイベント情報を削除し、前記シリーズイベントのイベント情報を前記削除領域に記憶し、前記お好みイベント案内手段は、前記お好みイベント情報記憶領域に記憶されているイベント情報に基づいて前記お好みイベントの放送状態を監視し、前記イベント情報及び前記放送状態に基づいて前記お好みイベント案内を提示し、前記受信手段は、前記お好みイベント案内が提示された状態における、前記操作手段によるイベント選択操作に基づいて、当該イベントを提供するチャンネルのディジタル放送信号を受信することを特徴とする。
【発明の効果】
【００１８】
本発明によれば、ディジタル放送受信装置において、比較的短い時間に視聴された過去のイベントを、簡便な操作で確認できるとともに、再視聴させることができるので、チャンネル選局時の利便性を向上できる。また、利用者は、選局するために該当イベントのチャンネルが割り当てられている数字ボタン等を覚える必要はないので、選局操作は極めて簡便なものとなる。
【００１９】
特に、シリーズイベントの場合には、一度お好みイベントとして登録されると、次回放送時にもお好みイベントとして自動的に登録可能となるので、お好みイベントを登録する際の操作は極めて簡単になる。
【発明を実施するための最良の形態】
【００２０】
以下、本発明の実施の形態を図面に基づいて説明する。
図１は、本発明に係るディジタル放送受信装置としてのテレビジョン受像機１０の全体構成を示すブロック図である。なお、図１において、実線の矢印は各種情報の流れを示し、点線の矢印は制御信号の流れを示している。
【００２１】
本実施形態のテレビジョン受像機１０は、アンテナ１１と、受信部（チューナ）１２と、信号復調部１３と、データ分離部１４と、デコード部１５と、ＯＳＤ生成部１６と、多重化部（ＯＳＤ部）１７と、イベント情報記憶部（例えば、フラッシュメモリ）１８と、操作部１９と、制御部２０と、を備えて構成される。
【００２２】
具体的には、受信部１２は、アンテナ１１を介してディジタル放送（例えば、地上／ＢＳ／ＣＳディジタル放送）を選択的に受信可能なチューナである。受信手段としての受信部１２は、後述する操作部１９によるチャンネル選局操作に基づいて、所定のチャンネルのディジタル放送信号を受信し、該チャンネルで提供されているイベントを視聴可能とする。
【００２３】
また、本実施形態では、地上ディジタル放送において、１のチャンネルを選局し当該チャンネルで提供されるイベントを視聴する一方で、他チャンネルで提供されるＳＩ情報を取得可能とするため、受信部１２は、異なる２つのチャンネルを選局可能な、いわゆるダブルチューナで構成している。なお、ＢＳディジタル放送のように、どのチャンネルを選局していても、他のすべてのチャンネルのＳＩ情報を取得できる場合には、受信部１２の構成は特に制限されない。
【００２４】
信号復調部１３は、受信部１２で受信したディジタル放送信号を復調する。
データ分離部１４は、信号復調部１３で復調されたディジタル放送信号を、番組のコンテンツ情報（映像データおよび音声データ）とＳＩ情報とに分離する。データ分離部１４で分離されたコンテンツ情報はデコード部１５に供給され、ＳＩ情報はＯＳＤ生成部１６及びイベント情報記憶部１８に供給される。
【００２５】
デコード部１５は、データ分離部１４から供給されたコンテンツ情報を伸張・復号化して映像信号および音声信号を生成し、スピーカ２１に出力する。
【００２６】
ＯＳＤ生成部１６は、データ分離部１４から供給されたＳＩ情報に基づいて、放送局ごとに番組コンテンツに関する情報を時系列に従って並べた電子番組案内（以下、ＥＰＧと称する）データを生成する。また、ＯＳＤ生成部１６は、イベント情報記憶部１８に記憶されているイベント情報（お好みイベント情報、視聴イベント情報）に基づいて、利用者が視聴したイベントのうちお好み登録されたイベントに関する情報を提示するお好みイベント案内データを生成する。
【００２７】
多重化部１７は、デコード部１５やＯＳＤ生成部１６からの表示信号を、表示部２２に選択的に出力したり、多重化して出力したりする。
【００２８】
イベント情報記憶部１８は、データ分離部１４で分離されたＳＩ情報に基づいて、後述するお好みイベント登録ボタン２２１により登録指定されたお好みイベントに関するイベント情報を記憶する（イベント情報記憶手段）。また、イベント情報記憶部１８は、お好みイベントに関するイベント情報の他、現在視聴中のイベントのイベント情報を記憶する。
【００２９】
さらに、イベント情報記憶部１８は、図３に示すように、お好みイベント及び視聴イベントに関するイベント情報を記憶するお好みイベント情報記憶領域１８１と、連続ドラマのように複数イベントにまたがって放送されるいわゆるシリーズイベントに関するイベント情報を記憶するシリーズイベント情報記憶領域１８２と、を有する。
【００３０】
本実施形態では、お好みイベント情報記憶領域１８１には、最大５個のお好みイベントのイベント情報を記憶することができる。すなわち、お好みイベントを５個登録できるようにしている。なお、お好みイベント情報記憶領域１８１のうち、視聴イベントのイベント情報を記憶する領域は別枠として設けられる。
また、シリーズイベント情報記憶領域１８２には、１０個のシリーズイベントのイベント情報を記憶することができる。お好み登録されたイベントがシリーズイベントであった場合に、当該シリーズイベントのイベント情報がシリーズイベント情報記憶領域１８２に記憶されることとなる。
【００３１】
シリーズイベント情報記憶領域１８２では、曜日ごとにシリーズイベントを管理する。つまり、図３において、シリーズ１は月〜金曜日に放送されるシリーズイベント、シリーズ２は毎月曜日に放送されるシリーズイベント、シリーズ３は毎水曜日に放送されるシリーズイベント、シリーズ４は、毎日曜日に放送されるシリーズイベント、シリーズ５は毎火曜日に放送されるシリーズイベントであることを示している。
【００３２】
お好みイベント情報記憶領域１８１に記憶されるイベント情報は、例えば、イベントＩＤ、ネットワーク名（地上／ＢＳ／ＣＳ）、３桁チャンネル番号、放送局名、放送時間帯、イベント名などの情報である。なお、３桁チャンネル番号で放送局を一意に区別できなくなる場合に、４桁目の番号（枝番）が付加されているときは、必要に応じて枝番も記憶する。
【００３３】
ここで、シリーズイベントであるか否かは、ＳＩ情報に含まれるＥＩＴ（Event Information Table）のシリーズ記述子によって判別できる。このＥＩＴには、例えば、シリーズイベントの編成パターン（例えば、毎日／平日のみ／土日のみ放送（いわゆる帯番組）、週１放送、月１放送）を区別するための情報や、シリーズ内の話数（第○○話）、シリーズの総話数、シリーズ名を表す文字コード、シリーズイベントを特定するためのシリーズＩＤ等が格納される。シリーズイベント情報記憶領域１８１には、上述したイベントＩＤ等の一般的なイベント情報の他、シリーズイベントに特有の情報が記憶されることとなる。
【００３４】
また、イベント情報記憶部１８は、ディジタル放送信号に含まれる最新のＳＩ情報に基づいて、お好みイベント情報記憶領域１８１に記憶されているイベント情報を更新可能に構成される。制御部２０は、更新されたイベント情報を監視することで、お好みイベントの放送状態、例えば、放送終了や放送延長を把握することができる。
【００３５】
操作部１９は、例えば、複数の操作ボタンを備えたリモコン装置や本体に設けられた操作パネルであり、この操作部１９からの入力信号に基づいて、チャンネル選局や音量調整、ＥＰＧや後述するお好みイベント案内におけるフォーカスの移動などの所定の処理が実行される。
【００３６】
制御部２０は、例えば、操作部１９からの入力信号に基づいて、図示しないＲＯＭに格納されている制御プログラム等を実行し、テレビジョン受像機１０の各ブロックを駆動制御する。
【００３７】
本実施形態では、お好みイベント案内手段としての制御部２０は、イベント情報記憶手段１８に記憶されているお好みイベントのイベント情報に基づいて、お好みイベントの放送状態（例えば、放送中、放送終了、放送延長）を監視する。また、操作部１９によってお好みイベント案内を表示させる操作（お好みイベント表示ボタン２１０の操作）が行われることに伴い、お好みイベント及び視聴イベントのイベント情報と、それぞれのイベントの放送状態に基づいて、前記ＯＳＤ生成部１６にお好みイベント案内データを生成させ、表示部２２に表示させる。なお、お好みイベント案内データは、お好みイベント案内の表示中に、例えば、イベントの放送状態が変化した場合や利用者に放送状態の変化を報知する場合に、適宜変更される。
【００３８】
つまり、お好みイベント案内では、利用者が過去に視聴し、お好みイベントとして登録したイベントの現在の放送状態を知ることができる。例えば、放送中のイベントについては放送時間帯を表示し、放送終了したイベントについてはお好みイベント案内から削除する（表示させない）。
【００３９】
また、お好みイベント案内において、操作部１９によってイベント選択操作が行われると、当該イベントを提供するチャンネルが選局されるようにしている。これにより、利用者は、お好みイベント案内における極めて簡単な操作により、所望のイベントを再視聴することができる。
【００４０】
また、本実施形態では、制御部２０は、視聴されたお好みイベントを選択的にお好みイベントとして登録可能なお好みイベント登録手段、及び登録されたお好みイベントを選択的に削除可能なお好みイベント削除手段として機能する。例えば、操作部１９からのお好みイベント登録操作又は削除操作に基づいて、イベント情報記憶部１９における記憶状態を制御する。
【００４１】
図２は、操作部１９としてのリモコン装置の外観図である。
リモコン装置１９は、電源をオン／オフする電源ボタン２０１と、受信するチャンネルを選局する数字ボタン２０２と、ＥＰＧを表示させるＥＰＧ表示ボタン２０３、ＥＰＧ等で１つ前の画面に戻すボタン２０４、音量を調整する音量ボタン２０５と、受信する放送信号の種別（地上波／ＢＳ／ＣＳ等）を選択するボタン２０６と、放送サービス（テレビ放送、ラジオ放送、データ放送）を切り替えたり、文字入力に用いたりするボタン２０７と、画面上で指示が出たときに用いるカラーボタン２０８と、データ放送等に用いるボタン２０９と、ＥＰＧやお好みイベント案内においてフォーカスを上下左右に移動させる方向ボタン２１０と、選択した項目で決定する決定ボタン２１１と、チャンネルの選局に用いるチャンネルボタン２１２と、音声切り替えボタンや字幕のオン／オフ切り替えボタン等の所定の機能を実行させるための操作ボタン２１３と、お好みイベント案内を表示させるお好みイベント表示ボタン２２０と、視聴中のイベントをお好みイベントとして登録したり、登録されているお好みイベントを削除したりするお好みイベント登録ボタン２２１と、を備える。
【００４２】
すなわち、操作部１９は、お好みイベント案内を提示させるための専用の操作ボタン２２０と、視聴中のイベントを選択的にお好みイベントとして登録するためのお好みイベント登録ボタン２２１を有する。また、お好みイベント登録ボタン２２１は、登録されたお好みイベントを選択的に削除する際にも用いる。
【００４３】
利用者は、お好みイベント登録ボタン２２１を操作することで、視聴中のイベントをお好みイベントとして登録でき、お好みイベント案内を提示している状態で、所定の操作（例えば、お好みイベント登録ボタンの長押し）を行うことで、選択されているお好みイベントを削除できる。これにより、利用者は、過去に視聴したイベントであって、イベントの経過を後に確認したいイベントだけをお好みイベントとして登録することができるので、余計なイベントが登録されることなく、必要な情報を効率よく入手することができる。
【００４４】
また、利用者は、お好みイベント表示ボタン２２０を操作することで、お好みイベント案内を表示部２２に表示させることができる。このお好みイベント案内において、お好みイベント表示ボタン２２０又は方向ボタン２１０を操作してフォーカスを遷移させ、決定ボタン２１１を操作して所望のイベントを選択することで、当該イベントを提供するチャンネルを選局することができる。
【００４５】
次に、本実施形態のテレビジョン受像機１０におけるお好みイベント記憶処理及びお好みイベント案内表示処理について説明する。以下の説明において、お好みイベント登録ボタン２２１により登録されたイベントを「お好みイベント」、チャンネル選局により実際に視聴しているイベントを「視聴イベント」、複数のイベントにまたがって放送されるイベントを「シリーズイベント」と称することもある。
【００４６】
図４〜６は、お好みイベント記憶処理の一例を示すフローチャートである。このお好みイベント記憶処理は制御部２０によって実行される。
【００４７】
まず、ステップＳ１０１では、テレビジョン受像機１０の電源がオンになっているか判定する。そして、テレビジョン受像機１０の電源がオンになるまで待機し、電源がオンになるとステップＳ１０２に移行する。
【００４８】
ステップＳ１０２では、ディジタル放送信号に含まれる最新のＳＩ情報に基づいて、前回の電源オフ時におけるお好みイベントのイベント情報を更新する。例えば、お好みイベントのイベント情報（ＳＩ情報）を取得可能か否かに基づいて、このお好みイベントが現在放送中か、放送終了したかを判断する。ここで、イベントの同一性は、ＳＩ情報に含まれるイベントＩＤによって判断する。
【００４９】
そして、放送が終了していたお好みイベントを削除する。ここで、「お好みイベントの削除」とは、当該お好みイベントのイベント情報が記憶されている記憶領域が開放され（上書き可能となる）、お好みイベント案内から当該イベントが削除されるという意味であり、イベント情報記憶部１８から即座に当該イベント情報を削除しなくてもよい。なお、放送終了時のイベント情報の更新については、後述するステップＳ１２０〜Ｓ１２５と同様である。
【００５０】
つまり、前回の電源オフ時におけるお好みイベントのイベント情報は、電源オン時にもそのままイベント情報記憶部１８に記憶された状態となっているので、このお好みイベントが現在も放送中であればそのまま参照できるようにし、放送終了していれば参照しないようにしている。
【００５１】
ステップＳ１０３では、現在視聴中のイベント（視聴イベント）がお好みイベントとして登録済みか判定する。そして、視聴イベントがお好みイベントとして登録済みであると判定した場合は図５のステップＳ１１１に移行し、登録済みでない場合はステップＳ１０４に移行する。
【００５２】
ステップＳ１０４では、視聴イベントのイベント情報を、イベント情報記憶部１８に一時的に記憶させる（図３参照）。例えば、テレビジョン受像機１０の電源がオフされた後、数時間が経過していれば、大抵のイベントは放送が終了しており、放送終了したお好みイベントのイベント情報はステップＳ１０２で削除されるので、電源がオンされた後にはお好みイベントは未登録で、視聴イベントだけがイベント情報記憶部１８に記憶された状態となる。
【００５３】
視聴イベントがお好みイベントとして登録されていない場合でも、後述するお好みイベント案内において視聴イベントを提示するために、イベント情報記憶部１８に一時的に記憶するようにしている。このように、視聴イベントを含むお好みイベント案内が提示されることにより、利用者は、すでに登録されているお好みイベントと現在の視聴イベントを比較し、容易にお好みイベントの登録を変更できるので、利便性が向上する。
【００５４】
ステップＳ１０５では、お好みイベント登録ボタン２２１の操作、すなわち視聴しているイベントをお好みイベントとして登録する操作がなされた判定する。なお、通常のイベント視聴中でも、後述するお好みイベント案内の表示中でも同様の処理がなされる。そして、お好みイベント登録ボタン２２１による登録指定がなされた場合はステップＳ１０６に移行し、登録指定がなされていない場合は図５のステップＳ１１１に移行する。
【００５５】
ステップＳ１０６では、イベント情報記憶部１８のお好みイベント情報記憶領域１８１に記憶されているお好みイベント数は上限（図３では、５個）に達しているか判定する。そして、登録されたお好みイベント数が上限に達している場合はステップＳ１０７に移行し、上限に達していない場合はステップＳ１０８に移行する。
【００５６】
ステップＳ１０７では、すでに登録済みのお好みイベントを削除するか判定する。例えば、お好みイベント削除画面として５個のお好みイベントと視聴イベントの計６個のイベントを提示し、このお好みイベント削除画面において、お好みイベントの削除操作がなされたかを判定する。そして、すでに登録済みのお好みイベントが削除された場合はステップＳ１０８に移行し、お好みイベント削除画面の表示がキャンセルされたり、視聴イベントが削除するイベントとして選択されたりして、お好みイベントが削除されない場合は図５のステップＳ１１１に移行する。
【００５７】
ステップＳ１０８では、視聴イベントのイベント情報をお好みイベント情報記憶領域１８１に記憶させ、当該視聴イベントをお好みイベントとして登録する。つまり、お好みイベント登録ボタン２２１が操作されたときに、お好みイベント情報記憶領域１８１に空きがあればそのまま視聴イベントのイベント情報をお好みイベント情報として記憶させ、お好みイベント情報記憶領域１８１に空きがないときには既存のお好みイベントが削除されることに伴い空き領域に視聴イベントのイベント情報を記憶させることとなる。
【００５８】
ステップＳ１０９では、お好みイベントとして登録する視聴イベントがシリーズイベントであるか判定する。例えば、ＳＩ情報に含まれるＥＩＴのシリーズ記述子に基づいて、シリーズイベントであるか否かを判定する。そして、お好みイベントとして登録する視聴イベントがシリーズイベントであると判定した場合は図５のステップＳ１１０に移行し、シリーズイベントでないと判定した場合は図５のステップＳ１１１に移行する。
【００５９】
図５のステップＳ１１０では、視聴イベントをシリーズイベントとして登録する。具体的には、シリーズイベント情報記憶領域１８２に、お好みイベント情報記憶領域１８１に記憶したイベント情報と、シリーズイベントに特有の情報（例えば、シリーズＩＤ等）と、を記憶させる。
ステップＳ１０５〜Ｓ１１０により、お好みイベントの登録及びシリーズイベントの登録が行われる。このように、複数イベントにまたがって放送されるイベントをお好みイベントとして登録する場合に、当該イベントをシリーズイベントとして登録することで、このシリーズイベントが次回放送されるときに、自動的にお好みイベントとして登録できるようにしている。
【００６０】
ステップＳ１１１では、シリーズイベントの開始時間か判定する。例えば、シリーズイベント情報記憶領域１８２に記憶されているイベント情報には、当該シリーズイベントの開始時間情報も含まれるので、これに基づいて開始時間か否かを判定する。そして、シリーズイベントの開始時間であると判定した場合は、ステップＳ１１２に移行し、シリーズイベントの開始時間でないと判定した場合は、ステップＳ１１７に移行する。
【００６１】
ステップＳ１１２では、シリーズイベントをお好みイベントに登録するか判定する。例えば、シリーズイベントをお好みイベントとして登録するための画面における、操作部１９からの操作に基づいて判定する。そして、シリーズイベントをお好みイベントとして登録する場合はステップＳ１１３に移行し、お好みイベントとして登録しない場合はステップＳ１１６に移行する。
【００６２】
ステップＳ１１３では、イベント情報記憶部１８のお好みイベント情報記憶領域１８１に記憶されているお好みイベント数は上限（図３では、５個）に達しているか判定する。そして、登録されたお好みイベント数が上限に達している場合はステップＳ１１４に移行し、上限に達していない場合はステップＳ１１５に移行する。
【００６３】
ステップＳ１１４では、すでに登録済みのお好みイベントのうち、登録順の最も古いお好みイベントを削除する。
ステップＳ１１５では、お好みイベント情報記憶領域１８１の空き領域、又はステップＳ１１４による削除領域に、シリーズイベントをお好みイベントとして登録する。
【００６４】
なお、ステップＳ１０７〜Ｓ１０８と同様に、お好みイベント削除画面として５個のお好みイベントと視聴イベントの計６個のイベントを提示し、このお好みイベント削除画面において、すでに登録済みのお好みイベントが削除された場合にシリーズイベントをお好みイベントとして登録させるようにしてもよい。
【００６５】
一方、ステップＳ１１２においてシリーズイベントをお好みイベントとして登録しないと判定した場合は、ステップＳ１１６で、該当するシリーズイベントを削除する。ここで、「シリーズイベントの削除」とは、当該シリーズイベントのイベント情報が記憶されている記憶領域が開放され（上書き可能となる）、当該シリーズイベントの開始時間となったときにお好みイベントとして自動的に登録できなくなるという意味であり、イベント情報記憶部１８（シリーズイベント情報記憶領域１８２）から即座に当該イベント情報を削除しなくてもよい。これにより、利用者は所望するシリーズイベントについてだけ、今後のお好みイベント登録操作を簡略化されることとなる。
ステップＳ１１１〜Ｓ１１６により、シリーズイベントのお好みイベントとしての登録及びシリーズイベントの削除が行われる。
【００６６】
ステップＳ１１７では、お好みイベント案内が表示された状態であるか判定する。そして、お好みイベント案内が表示されている場合はステップＳ１１８に移行し、お好みイベント案内が表示されていない場合は図６のステップＳ１２０に移行する。
【００６７】
ステップＳ１１８では、お好みイベント案内に提示されているお好みイベントのうち、何れかのお好みイベントを削除する操作がなされたか判定する。具体的には、お好みイベント案内において、お好みイベントの何れかがフォーカスされた状態で、お好みイベント登録ボタン２２１の長押し操作が行われたか否かを判定する。そして、お好みイベントを削除する操作がなされた場合はステップＳ１１９に移行し、お好みイベントを削除する操作がなされていない場合は図６のステップＳ１２０に移行する。
【００６８】
ステップＳ１１９では、削除指定されたお好みイベントを削除する。ステップＳ１１７〜Ｓ１１９により、お好みイベントの削除が行われる。
【００６９】
図６のステップＳ１２０では、最新のＳＩ情報に基づいて、お好みイベントのイベント情報を取得する。ここで、イベントの同一性は、ＳＩ情報に含まれるイベントＩＤによって判断する。
【００７０】
ステップＳ１２１では、イベント情報記憶部１８に記憶されているイベント情報と、新たに取得されたイベント情報を比較し、お好みイベントの放送が終了したか否かを判定する。そして、お好みイベントの放送が終了した場合はステップＳ１２２に移行し、お好みイベントの放送が終了していない場合はステップＳ１２６に移行する。
【００７１】
ステップＳ１２２では、放送終了したお好みイベントがシリーズイベントであるか判定する。そして、放送終了したお好みイベントがシリーズイベントである場合はステップＳ１２３に移行し、シリーズイベントでない場合はステップＳ１２５に移行する。
【００７２】
ステップＳ１２３では、放送終了したシリーズイベントが最終回であったか判定する。例えば、ＳＩ情報に含まれるＥＩＴのシリーズ記述子で示される、イベント内の話数（第○○話）とイベントの総話数等に基づいて判断できる。そして、シリーズイベントが最終回であった場合にはステップＳ１２４に移行し、最終回でない場合はステップＳ１２５に移行する。
【００７３】
ステップＳ１２４では、該当するシリーズイベントを削除する。
ステップＳ１２５では、放送が終了したお好みイベントを削除する。つまり、お好みイベント削除手段としての制御部２０は、お好みイベントが放送中であるか否かを判定し、お好みイベントの放送が終了した場合は、このお好みイベントを削除させる。また、お好みイベントがシリーズイベントである場合は、放送終了後に最終回か否かを判定し、最終回であった場合は次回放送がない、すなわちお好みイベントとして登録不可能となるので、当該シリーズイベントを削除する。
【００７４】
ステップＳ１２６では、テレビジョン受像機１０の電源がオフにされたか判定する。そして、テレビジョン受像機１０の電源がオフにされた場合は図４のステップＳ１０１に移行し、電源がオンされたままの図４のステップＳ１０３に移行する。
【００７５】
以上のようにして、お好みイベント記憶処理がなされる。このように、本実施形態では、テレビジョン受像機１０の電源がオンされた後、利用者によるお好みイベント登録ボタン２２１の操作に伴いお好みイベントが登録又は削除され、また、最新のＳＩ情報に基づいてお好みイベントのイベント情報が更新されるので、利用者は、電源がオンされた後にお好みイベントとして登録されたイベントの放送状態を正確に把握できる。
【００７６】
さらに、シリーズイベントとして登録されたイベントについては、次回放送開始時にこのシリーズイベントをお好みイベントとして登録するための画面が表示され、お好みイベントとして自動的に登録可能となるので、利用者がこのシリーズイベントをお好みイベントとして登録し忘れるのを防止できる。
【００７７】
また、シリーズイベントがお好みイベントとして登録されなかった場合は、該当するシリーズイベントを削除する（図５のステップＳ１１６）ので、利用者が所望しないシリーズイベントについては、放送開始時にお好みイベントとして登録するための画面は表示されなくなる。これにより、無駄な操作画面が表示されることに対して、利用者が煩わしさを感じるのを防止できる。
【００７８】
図７，８は、お好みイベント表示処理の一例を示すフローチャートである。このお好みイベント表示処理は制御部２０によって実行される。
また、図９はお好みイベント案内の一表示例を示す説明図で、図１０〜１５は、図９に示すお好みイベント案内に重畳される補助画面の表示例を示す説明図である。例えば、お好みイベントの放送状態又は登録状態が変化したときや、シリーズイベントの放送開始時間となったとき等に、お好みイベント案内に重畳して表示される。
【００７９】
図７において、まず、ステップＳ２０１では、操作部１９のお好みイベント表示ボタン２２０が操作されたか判定する。そして、お好みイベント表示ボタン２２０が操作されない場合はステップＳ２０２に移行し、お好みイベント表示ボタン２２０が操作された場合はステップＳ２０３に移行する。
【００８０】
ステップＳ２０２では、すでにお好みイベント案内が表示されている状態であるか判定する。そして、お好みイベント案内が表示中である場合はステップＳ２０６に移行し、お好みイベント案内が表示中でない場合はステップＳ２０１に移行する。
【００８１】
ステップＳ２０３では、すでにお好みイベント案内が表示されている状態であるか判定する。つまり、ステップＳ２０１におけるお好みイベント表示ボタン２２０の操作は、お好みイベント案内が表示されているときの操作か、通常のイベント視聴時の操作かを判定する。そして、お好みイベント案内が表示中である場合はステップＳ２０４に移行し、お好みイベント案内が表示中でない場合はステップＳ２０５に移行する。
【００８２】
ステップＳ２０４では、お好みイベント案内において、フォーカスを遷移させる。つまり、本実施形態では、お好みイベント案内が表示された状態で、お好みイベント表示ボタン２２０が操作された場合は、フォーカスを移動させるようにしている。なお、方向ボタン２１０の上下によりフォーカスを移動させるようにしてもよい。
【００８３】
ステップＳ２０５では、お好みイベント案内を主画面に重畳させてＯＳＤ表示する。具体的には、イベント情報記憶部１８に記憶されているイベント情報及び各お好みイベントの放送状態に基づいて、ＯＳＤ生成部１６にお好みイベント案内データを生成させ、表示部２２に図９に示すお好みイベント案内を表示させる。
【００８４】
図９に示すお好みイベント案内において、画面右部のＤ１領域には、例えば、立体的に円環状をなすように配置されたイベント表示枠Ｄ１１〜Ｄ１５が表示される。それぞれのイベント表示枠Ｄ１１〜Ｄ１５には、お好みイベントとして登録されたイベント（上限５個）と、現在視聴中のイベントが、例えば、お好みイベントに登録された順（視聴イベントは最下位）に割り当てられる。このとき、イベント表示枠Ｄ１１〜Ｄ１５には、例えば、それぞれのイベントを示す情報（例えば、イベント名やタイトル画面（動画でも可））が表示される。
【００８５】
図９では、真ん中に位置するイベント表示枠Ｄ１３がフォーカスされていることを示している。利用者は、お好みイベント表示ボタン２２０又は方向ボタン２１０を操作し、イベント表示枠Ｄ１１〜Ｄ１５を立体的に回転させる（表示されるイベントの最初と最後は巡回させる）ことで、フォーカスされるイベントを遷移させる。
【００８６】
また、お好みイベント案内において、画面中央下部のＤ２領域には、フォーカスされたイベント表示枠Ｄ１３に割り当てられているイベントに関する情報が拡大表示される。イベント情報として、例えば、ネットワーク名（地上／ＢＳ／ＣＳディジタル）、３桁チャンネル、放送局、イベント名、放送時間帯、番組内容が表示される。
【００８７】
また、お好みイベント案内において、画面左上部のＤ３領域には、フォーカスされているイベントが副画面として表示され、お好みイベント案内のフォーカスの遷移に連動して表示イベントは変更される。なお、お好みイベント表示ボタン２２０又は方向ボタン２１０が押下されたままとされ、フォーカスが連続遷移されている場合は、副画面の表示をフォーカス遷移に連動させなくてもよい。また、お好みイベント案内の背景となる主画面では、現在視聴中のイベントが表示される。
【００８８】
利用者は、このお好みイベント案内において、お好みイベント表示ボタン２２０又は方向ボタン２１０を操作してフォーカスされるイベントを遷移させ、所望のイベントにフォーカスがあった状態で決定ボタン２１１を操作することで、当該イベントを提供するチャンネルを選局できる。
【００８９】
次いで、ステップＳ２０６では、お好みイベントの何れかが放送終了時間となったか判定する。そして、お好みイベントの何れかが放送終了時間となった場合はステップＳ２０７に移行し、お好みイベントの何れも放送終了時間となっていない場合はステップＳ２０８に移行する。例えば、イベント情報記憶手段１８に記憶されているイベント情報に含まれる放送終了時間に基づいて、お好みイベントが放送終了時間になったか判定する。
【００９０】
ステップＳ２０７では、更新されたイベント情報に基づいて、お好みイベント案内の表示を変更する。つまり、放送終了したお好みイベントは削除される（図６のステップＳ１２５）ので、このお好みイベントはお好みイベント案内に表示されなくなる。
【００９１】
制御部２０は、お好みイベント案内を表示した状態において、お好みイベントの放送状態が変化した場合は、以上のステップＳ２０６〜Ｓ２０７の処理にしたがってお好みイベント案内の表示制御を行うこととなる。
【００９２】
次いで、ステップＳ２０８では、お好みイベント登録ボタン２２１の操作、すなわち視聴しているイベントをお好みイベントとして登録する操作がなされた判定する。そして、お好みイベント登録ボタン２２１による登録指定がなされた場合はステップＳ２０９に移行し、登録指定がなされていない場合は図８のステップＳ２１５に移行する。
【００９３】
ステップＳ２０９では、お好みイベント情報記憶領域１８１に記憶されているお好みイベント数は上限（図３では、５個）に達しているか判定する。そして、登録されたお好みイベント数が上限に達していない場合はステップＳ２１１に移行し、上限に達していない場合はステップＳ２１０に移行する。
【００９４】
ステップＳ２１０では、視聴イベントがお好みイベントとして登録されたことを報知する。例えば、図１０に示すように、お好みイベント登録報知画面Ｄ４を表示させる。このお好みイベント登録報知画面Ｄ４は、戻るボタンＢ１が操作されること、または表示後一定時間が経過することに伴い消去される。ここで、視聴イベントはお好みイベントとして登録されるが、イベント情報の記憶領域が変わるだけなので、お好みイベント案内の表示は特に更新されない。なお、お好みイベントを登録された順番が認識できるように配置する場合には、それぞれのお好みイベントを割り当てられる表示枠Ｄ１１〜Ｄ１５が変更される。
【００９５】
ステップＳ２１１では、お好みイベント削除画面Ｄ５を表示する。例えば、図１１に示すように、お好みイベント削除画面Ｄ５では、５個のお好みイベント（イベント１〜５）と視聴イベントの計６個のイベントを提示する。利用者は、このお好みイベント削除画面Ｄ５において、方向ボタン２１０を操作することでフォーカス（図１１では「イベント１」がフォーカスされている）を移動させ、決定ボタン２１１を操作することで削除するイベントを決定する。
【００９６】
ステップＳ２１２では、お好みイベント削除画面Ｄ５において、お好みイベントの削除操作がなされたかを判定する。そして、すでに登録済みのお好みイベントが削除された場合は図８のステップＳ２１３に移行し、お好みイベント削除画面Ｄ５において戻るボタンＢ２が操作されたり、視聴イベントが削除するイベントとして選択されたりして、お好みイベントが削除されない場合は図８のステップＳ２１５に移行する。
【００９７】
次いで、図８のステップＳ２１３では、登録されていたお好みイベントが削除され、新たに視聴イベントがお好みイベントとして登録されたことを報知する。例えば、図１２に示すように、お好みイベント削除／登録報知画面Ｄ６を表示させる。このお好みイベント削除／登録報知画面Ｄ６は、戻るボタンＢ３が操作されること、または表示後一定時間が経過することに伴い消去される。
【００９８】
ステップＳ２１４では、お好みイベント案内を更新する。このお好みイベント案内では、削除されたお好みイベントは表示されなくなり、フォーカスの遷移により表示されるイベント数は５個となる。
【００９９】
制御部２０は、お好みイベント案内を表示した状態において、お好みイベントの登録指定がなされた場合は、以上のステップＳ２０８〜Ｓ２１４の処理にしたがってお好みイベント案内の表示制御を行うこととなる。
【０１００】
ステップＳ２１５では、シリーズイベント情報記憶領域１８２に記憶されているシリーズイベント情報に基づいて、登録されているシリーズイベントの開始時間となったか判定する。そして、シリーズイベントの開始時間となった場合はステップＳ２１６に移行し、開始時間となっていない場合は図８のステップＳ２１９に移行する。
【０１０１】
ステップＳ２１６では、放送開始時間となったシリーズイベントをお好みイベントとして登録するかを確認するお好みイベント登録画面を表示する。例えば、図１３に示すように、お好みイベント登録画面Ｄ７には、放送開始時間となったシリーズイベント名と、お好み登録の可／否を選択させるためのボタンＢ４，Ｂ５が表示される。
【０１０２】
ステップＳ２１７では、お好みイベント登録画面Ｄ７において、お好みイベント登録操作があったか判定する。そして、お好みイベント登録画面Ｄ７において「登録する」ボタンＢ４が選択されお好み登録操作があった場合は、ステップＳ２１８に移行し、「登録しない」ボタンＢ５が選択されお好み登録操作がない場合はステップＳ２１９に移行する。なお、お好み登録操作がない場合は、イベント情報記憶部１８では、当該シリーズイベントが削除されることとなる（図５のステップＳ１１６）。
【０１０３】
ステップＳ２１８では、放送開始時間となったシリーズイベントが、お好みイベントとして登録されたことを報知する。例えば、図１４に示すように、お好みイベント登録報知画面Ｄ８を表示させる。このお好みイベント登録報知画面Ｄ８は、戻るボタンＢ６が操作されること、または表示後一定時間が経過することに伴い消去される。
【０１０４】
制御部２０は、お好みイベント案内を表示した状態において、登録されているシリーズイベントの放送開始時間となった場合は、以上のステップＳ２１５〜Ｓ２１８の処理にしたがってお好みイベント案内の表示制御を行うこととなる。
なお、ステップＳ２１５〜Ｓ２１８の処理については、お好みイベント案内を表示した状態に限らず、例えば、通常のイベント視聴中やテレビジョン受像機の電源がオンされた直後に実行するようにしてもよい。
【０１０５】
ステップＳ２１９では、お好みイベント表示ボタン２２０が長押し操作され、フォーカスされているお好みイベントの削除指定がなされたか判定する。そして、お好みイベント表示ボタン２２０の長押し操作によりお好みイベントが削除指定された場合はステップＳ２２０に移行し、お好みイベントが削除指定されていない場合はステップＳ２２２に移行する。
【０１０６】
ステップＳ２２０では、お好みイベントが削除されたことを報知する。例えば、図１５に示すように、お好みイベント削除報知画面Ｄ９を表示させる。このお好みイベント削除報知画面Ｄ９は、戻るボタンＢ７が操作されること、または表示後一定時間が経過することに伴い消去される。
【０１０７】
ステップＳ２２１では、お好みイベント案内を更新する。このお好みイベント案内では、削除されたお好みイベントは表示されなくなり、フォーカスの遷移により表示されるイベント数は一個減少する。
【０１０８】
制御部２０は、お好みイベント案内を表示した状態において、お好みイベントの削除指定がなされた場合は、以上のステップＳ２１９〜Ｓ２２１の処理にしたがってお好みイベント案内の表示制御を行うこととなる。
【０１０９】
ステップＳ２２２では、お好みイベント案内が表示された状態において、操作部１９による操作がないまま一定時間経過したか判定する。そして、無操作のまま一定時間経過したと判定した場合はステップＳ２２５に移行し、お好みイベント案内のＯＳＤ表示を消去する。このとき、主画面ではお好みイベント案内が表示される前に視聴されていたイベントが表示されることとなる。
【０１１０】
つまり、本実施形態では、お好みイベント案内が表示された状態において、一定時間なんの操作も行われなかった場合に、お好みイベント案内の表示は不要であるとみなしＯＳＤ表示を消去する。なお、お好みイベント案内の表示を所定の操作によってキャンセルさせるようにしてもよい。
【０１１１】
一方、ステップＳ２２２で、無操作のまま一定時間経過していないと判定した場合はステップＳ２２３に移行する。
【０１１２】
ステップＳ２２３では、お好みイベント案内からイベントが選択されたか判定する。具体的には、お好みイベント案内が表示された状態において、お好みイベント表示ボタン２２０又は方向ボタン２１０によりフォーカスされるイベントが遷移され、所望のイベントがフォーカスされた状態で決定ボタン２１１が操作されたか判定する。そして、お好みイベント案内からイベントが選択されたと判定した場合はステップＳ２２４に移行し、選択されたイベントを提供しているチャンネルを選局し、この選択イベントを主画面に表示するとともに、お好みイベント案内のＯＳＤ表示を消去する（ステップＳ２２５）。
【０１１３】
また、ステップＳ２２３で、お好みイベント案内からイベントが選択されていないと判定した場合はお好みイベント案内を表示したままとし、ステップＳ２０１以降の処理を繰り返す。
【０１１４】
制御部２０は、お好みイベント案内を表示した状態において、お好みイベントが選択された場合は、以上のステップＳ２２３〜Ｓ２２５の処理にしたがってお好みイベント案内の表示制御及びチャンネルの選局制御を行うこととなる。
【０１１５】
このように、本実施形態では、テレビジョン受像機１０において、比較的短い時間に視聴され、お好みイベントとして登録されたイベントを容易に把握することができるとともに、お好みイベント案内における簡便な操作でお好みイベントを再視聴させることができる。また、利用者は、選局するために該当イベントのチャンネルが割り当てられている数字ボタン等を覚える必要はないので、チャンネル選局操作は極めて簡便なものとなる。
【０１１６】
以上、本発明者によってなされた発明を実施形態に基づいて具体的に説明したが、本発明は上記実施形態に限定されるものではなく、その要旨を逸脱しない範囲で変更可能である。
【０１１７】
例えば、お好みイベント案内には、放送終了時刻と現在時刻に基づいて、そのお好みイベントの残り放送時間を表示させるようにしてもよい。
【０１１８】
また、上記実施形態では、お好みイベント案内を表示させるための専用のボタンとして、お好みイベント表示ボタン２２０を設け、お好みイベントを登録／削除するためのボタンとしてお好みイベント登録ボタン２２１を設けるようにしているが、リモコン装置１９の他のボタンにこの機能を割り当てるようにしてもよい。例えば、リモコン装置１９のカラーボタン２０８の何れかに、イベント視聴中の機能として「お好みイベント案内表示」を割り当て、お好みイベント案内表示中の機能として「お好みイベント登録／削除」を割り当てるようにする。
【０１１９】
さらに、上記実施形態では、図９等に示すように立体的に円環状をなすようにイベント表示枠Ｄ１１〜Ｄ１５を配置し、それぞれのイベント表示枠Ｄ１１〜Ｄ１５に、お好みイベントとして登録されたイベント（上限５個）を割り当てて表示させるようにしているが、登録されたお好みイベントに関する情報が認識可能な形態であれば、お好みイベントの表示形態は特に制限されない。
【０１２０】
例えば、お好みイベントをサムネイル表示としてもよい。この場合は、お好みイベントの情報として映像（予め記憶した映像）を提供することもできる。また、一覧リストによりお好みイベントを表示させるようにしてもよいし、これらの表示形態の中から利用者が所望の表示形態を選択できるようにしてもよい。さらに、お好みイベント案内において表示させるお好みイベントの最大数を増加できるようにしてもよい。
【０１２１】
また、お好みイベント案内において副画面を表示させなくてもよい。この場合、お好みイベント案内の背景となる主画面において、お好みイベント案内におけるフォーカス遷移と連動したイベント表示を行うようにしてもよい。
【０１２２】
また、上記実施形態では、お好みイベント案内が表示された状態で、お好みイベント表示ボタン２２０が長押し操作された場合に、フォーカスされているイベントを削除するようにしているが、図１１に示すお好みイベント削除画面を表示させた上で、削除するお好みイベントを選択・決定させるようにしてもよい。
【０１２３】
上記実施形態では、本発明をテレビジョン受像機に適用した例について説明したが、ディジタル放送信号を受信可能なディジタル放送受信装置全般に適用することができる。例えば、ＤＶＤ／ＨＤＤレコーダやセット・トップ・ボックスなどの各種ＡＶ（オーディオビジュアル）装置に適用することができる。
【図面の簡単な説明】
【０１２４】
【図１】本発明に係るディジタル放送受信装置としてのテレビジョン受像機１０の全体構成を示すブロック図である。
【図２】操作部１９としてのリモコン装置の概観図である。
【図３】イベント情報記憶部１８におけるデータ構成の一例を示す説明図である。
【図４】お好みイベント記憶処理の一例を示すフローチャートである。
【図５】図４のフローチャートに続く、お好みイベント記憶処理の一例を示すフローチャートである。
【図６】図５のフローチャートに続く、お好みイベント記憶処理の一例を示すフローチャートである。
【図７】お好みイベント案内表示処理の一例を示すフローチャートである。
【図８】図７のフローチャートに続くお好みイベント案内表示処理の一例を示すフローチャートである。
【図９】お好みイベント案内の一表示例を示す説明図である。
【図１０】視聴イベントをお好みイベントとして登録したときに表示される、お好みイベント登録報知画面の一表示例である。
【図１１】お好みイベントを削除するときに表示される、お好みイベント削除画面の一表示例である。
【図１２】お好みイベント削除画面において、お好みイベントが削除されたときに表示される、お好みイベント削除／登録報知画面の一表示例である。
【図１３】お好みイベント案内において、シリーズイベントの放送が開始されたときに表示される、お好みイベント登録画面の一表示例である。
【図１４】お好みイベント登録画面において、登録操作が行われたときに表示される、お好みイベント登録報知画面の一表示例である。
【図１５】お好みイベント案内において、お好みイベントが削除されたときに表示される、お好みイベント削除／登録報知画面の一表示例である。
【符号の説明】
【０１２５】
１０  テレビジョン受像機（ディジタル放送受信装置）
１１  アンテナ
１２  受信部（受信手段、ダブルチューナ）
１３  信号復調部
１４  データ分離部
１５  デコード部
１６  ＯＳＤ生成部
１７  多重化部（ＯＳＤ部）
１８  イベント情報記憶部（イベント情報記憶手段）
１９  操作部（操作手段）
２０  制御部（お好みイベント案内手段、お好みイベント登録手段、お好みイベント削除手段）
【図１】
2008271395.tif 000003
【図２】
2008271395.tif 000004
【図３】
2008271395.tif 000005
【図４】
2008271395.tif 000006
【図５】
2008271395.tif 000007
【図６】
2008271395.tif 000008
【図７】
2008271395.tif 000009
【図８】
2008271395.tif 000010
【図９】
2008271395.tif 000011
【図１０】
2008271395.tif 000012
【図１１】
2008271395.tif 000013
【図１２】
2008271395.tif 000014
【図１３】
2008271395.tif 000015
【図１４】
2008271395.tif 000016
【図１５】
2008271395.tif 000017